(57)【要約】【課題】情報処理装置の記憶装置をリモート記憶装置として代替使用可能となり、記憶装置を利用した各種の画像処理を実現できる安価な画像処理システムを自在に構築することである。【解決手段】コンピュータ１１またはコンピュータ１２が備える記憶装置を自機の記憶装置として処理すべき画像データをコア部１０がネットワーク処理部７を制御して登録し、該登録された画像データをネットワークＮＥＴを介してコンピュータ１１またはコンピュータ１２が備えるハードディスク３０またはハードディスク３６から読み出して受信する構成を特徴とする。【選択図】      図１
2004153680.tif 000002
【特許請求の範囲】
【請求項１】
記憶装置を備える情報処理装置と、ネットワークを介して情報処理装置と通信可能な画像処理装置であって、
所定の画像処理要求を行う操作部と、
前記操作部による指示に基づき、処理すべき画像データを前記ネットワークを介して前記記憶装置に転送して登録し、該登録された画像データを前記ネットワークを介して前記記憶装置から読み出して受信する画像データ処理手段とを有することを特徴とする画像処理装置。
【発明の詳細な説明】
【０００１】
【発明の属する技術分野】
本発明は、ネットワークを介して不揮発性の記憶装置を備える情報処理装置と通信可能な画像処理装置に関するものである。
【０００２】
【従来の技術】
従来、画像処理装置のハードディスクに、スキャン画像や、ＰＤＬ画像を一旦蓄積し、画像処理装置の操作部からそれら画像を指定し、プリント、ＦＡＸ送信などを行うことが出来るボックス機能が知られている。また、ハードディスクをいくつかの領域に分割し、各領域に対して使用するユーザを限定する、パーソナルボックス機能も知られている。操作部からパスワードを入力し、パーソナルボックスにあらかじめ設定されているパスワードと一致したら、パーソナルボックス内に画像を保存、あるいは、パーソナルボックス内の画像を引き出すことを許可する。これにより、各個人の機密性を保持することが出来る。
【０００３】
【発明が解決しようとする課題】
しかしながら、上述した従来技術においては下記のような問題があった。
【０００４】
即ち、画像処理装置のボックス機能を実現するための記憶装置として、ハードディスクなどの媒体を使用しているが、画像処理装置を複数の人が共用して使用するという性質上、すぐにボックスの容量がいっぱいになるといった不具合があった。
【０００５】
また、安価な画像処理装置の場合、コスト上、ハードディスクなどの記憶媒体を使用することが出来ず、個人毎のボックスに画像データを蓄積するような構成を取ることが出来なかった。
【０００６】
本発明は、上記の問題点を解決するためになされたもので、本発明の目的は、情報処理装置が備える記憶装置を自機の記憶装置として処理すべき画像データを登録し、該登録された画像データを前記ネットワークを介して前記記憶装置から読み出して受信することにより、情報処理装置の記憶装置をリモート記憶装置として代替使用可能となり、記憶装置を利用した各種の画像処理を実現できる安価な画像処理システムを自在に構築できる画像処理装置を提供することである。
【０００７】
【課題を解決するための手段】
本発明は、記憶装置を備える情報処理装置と、ネットワークを介して情報処理装置と通信可能な画像処理装置であって、所定の画像処理要求を行う操作部と、前記操作部による指示に基づき、処理すべき画像データを前記ネットワークを介して前記記憶装置に転送して登録し、該登録された画像データを前記ネットワークを介して前記記憶装置から読み出して受信する画像データ処理手段とを有することを特徴とする。
【０００８】
【発明の実施の形態】
〔第１実施形態〕
図１は、本発明の第１実施形態を示す画像処理装置を適用可能な画像処理システムの構成を説明するブロック図であり、例えば画像処理装置（複合画像処理装置を含む）、情報処理装置、および周辺機器とが通信可能に構成されたシステム例に対応する。
【０００９】
図１において、１００は画像処理装置で、リーダ部１と、プリンタ部２と、コントローラ部３とからなり、コントローラ部３は、モデム通信部４、ネットワーク処理部７、ＰＤＬ展開部８、コア部１０等から構成され、コア部１０がそれぞれのデバイスのデータ処理状態を制御可能に構成されている。
【００１０】
リーダ部１は、画像処理装置１００にセットされた原稿の画像を読み取り、原稿画像に応じた画像データを、コア部１０を通じて、プリンタ部２へ出力（複写処理に基づく出力）する。プリンタ部２は、リーダ部１からの画像データに応じた画像を記録紙上に記録する。
【００１１】
コンピュータ（ＰＣ）１１、１２は、本発明に係る画像処理システムにおける情報処理装置として構成され、パーソナルコンピュータまたはワークステーション（ＰＣ／ＷＳ）である。２０はリモートＰＣで、インターネット網２１，ネットワークＮＥＴを介して画像処理装置１００と通信可能に接続されている。
【００１２】
また、コンピュータ１１、１２からは、ＰＤＬプリントデータをネットワーク１４、ネットワーク処理部７を通じて、コア部１０に流し、ＰＤＬ展開部８でＰＤＬデータをプリンタ部２で記録できる画像データに展開（ラスタライズ）し、コア部１０を通じて、プリンタ部２に出力する。プリンタ部２は、コア部１０からの画像データに応じた画像を記録紙上に記録する。
【００１３】
１４はファクシミリ装置であり、例えばリーダ部１で読み取った原稿画像を、コア部１０、モデム通信部４を経由し、公衆回線網１５を通じてファックス送信する。あるいは、他のファックス装置からの画像データを、公衆回線網１５、モデム通信部４、コア部１０を通じて受信し、プリンタ部２で受信画像をプリントする。
【００１４】
また、本発明に係る画像処理装置における記憶手段としての例は、コンピュータ１１、１２内の後述するハードディスク３０、３６である。
【００１５】
３５、３７は前記コンピュータ１１、１２に接続される表示装置であり、例えば、ＬＣＤディスプレイで構成される。３１、３８は前記コンピュータ１１の入力装置であり、キーボード，ポインティングデバイス（図示しない）等より構成される。  なお、図１に示すシステム構成は一例であり、本発明の適用可能システムは、図１のシステム構成に限定されるものではない。
【００１６】
図２は、図１に示した画像処理装置１００の構成例を示す概略断面図であり、図１と同一のものには同一の符号を付してある。
【００１７】
図２において、画像処理装置１００は、画像処理装置本体（複写装置本体）１００Ａ、デッキ１５０、循環式自動原稿送り装置（ＲＤＦ）１８０から構成されている。
【００１８】
画像処理装置本体１００Ａは、プラテンガラス１０１、スキャナ１０２、走査ミラー１０４、１０５、１０６、レンズ１０８、ＣＣＤセンサ（イメージセンサ部）１０９、感光体ドラム１１０、１次帯電器１１２、前露光ランプ１１４、クリーニング装置１１６、転写帯電器１１８、１１９、露光制御部１２０、現像器１２１、転写ベルト１３０、上段カセット１３１、下段カセット１３２、ピックアップローラ１３３、１３４、給紙ローラ１３５、１３６、レジストローラ１３７、吸着帯電器１３８、転写ベルトローラ１７０、定着前帯電器１３９、１４０、定着器１４１、排紙ローラ１４２、排紙フラッパ１５４、反転パス１５５、再給紙トレイ１５６、多重フラッパ１５７、搬送パス１５８、給紙ローラ１５９、経路１６０、排出ローラ１６１、第１の送りローラ１６２、第２の送りローラ１６２ａ、反転ローラ１６３を備えている。
【００１９】
なお、１０７は反射光であり、反射画像をレンズ１０８を介してＣＣＤセンサ１０９に原稿画像の反射画像として結像する。１２９はレーザ光で、ＣＣＤセンサ１０９に結像して、光電変換された画像データに所定の画像処理が施された後、露光制御部１２０に備えられる半導体レーザを該画像データに基づいて変調されることにより生成される。
【００２０】
１９０はオプション接続可能なフィニッシャで、画像処理装置１００で印刷された転写紙をスタックするものである。パス１９３は、画像処理装置１００で印刷された転写紙を受け取る経路である。ローラ１９７は、パス１９３から搬送された転写紙を、パス１９５あるいはパス１９６に送り出すものである。パス１９５へ送り出すには、排紙フラッパ１９４を下方に移動し、パス１９６へ送り出すには、排紙フラッパ１９４を上方に移動させる。そして、パス１９６を通った場合は、ローラ１９８によって、ビン１９２に排紙される。パス１９５を取った場合は、そのままビン１９１に排紙される。例えば、コピーを行った場合は、転写紙をビン１９１に排紙し、ＰＤＬプリントを行った場合は、ビン１９２に排紙することで、ユーザの利便性が上がる。
【００２１】
ペーパデッキ１５０はリフタ１５１と給紙ローラ１５２を備える。また、１５３は手差し給紙部である。１８０はＲＤＦで、積載される原稿束から分離される原稿シートを画像処理装置１００のプラテンガラス１０１上に給紙して、所定位置に排紙する。
【００２２】
上記構成を詳述すると、図１におけるリーダ部１は、図２のプラテンガラス１０１〜ＣＣＤセンサ１０９に対応し、図１におけるプリンタ部２は、図２の感光体ドラム１１０〜反転ローラ１６３に対応する。
【００２３】
まず、リーダ部１について詳述する。
【００２４】
プラテンガラス１０１は、原稿載置台として機能する。スキャナ１０２は、原稿照明ランプ１０３、走査ミラー１０４等で構成される。スキャナ１０２は、不図示のモータにより所定方向に往復走査されることにより、原稿の反射光１０７を、走査ミラー１０４〜１０６を介してレンズ１０８を透過させてＣＣＤセンサ１０９に結像する。ＣＣＤセンサ１０９で、電気信号に変換され、ＣＣＤセンサ１０９付近の、図示しないスキャナ画像処理部によって、Ａ／Ｄ変換、シェーディング補正が行われ、後述するコア部１０の後述する図３のゲートアレイ３２６を介して、メモリ３２４に、デジタル画像データとして蓄積される。
【００２５】
次にプリンタ部２について詳述する。
【００２６】
露光制御部１２０は、半導体レーザ、ポリゴンスキャナ等で構成されており、上記コア部１０のメモリ３２４に蓄積されたデジタル画像データをメモリ３２４から読み出し、後述するコア部１０のゲートアレイ３２６が、デジタル画像データからビデオ信号に変換し、Ｉ／Ｆ３２５を通じてプリンタ部に送る。
【００２７】
そして、そのビデオ信号に基づいて変調されたレーザ光１２９を、感光体ドラム１１０に照射する。感光体ドラム１１０の回りには、１次帯電器１１２、現像器１２１、転写帯電器１１８、１１９、クリーニング装置１１６、前露光ランプ１１４が装備されている。
【００２８】
感光体ドラム１１０を中心とした画像形成部１２６において、感光体ドラム１１０は、不図示のモータにより図中矢印方向に回転しており、１次帯電器１１２により所望の電位に帯電された後、露光制御部１２０からのレーザ光１２９が照射され、静電潜像が形成される。
【００２９】
一方、上段カセット１３１或いは下段カセット１３２からピックアップローラ１３３、１３４により給紙された転写紙は、給紙ローラ１３５、１３６により本体に送られ、レジストローラ１３７により転写ベルトに給送され、可視化されたトナー像が転写帯電器１１８、１１９により転写紙に転写される。
【００３０】
転写後の感光体ドラム１１０は、クリーニング装置１１６により残留トナーが清掃され、前露光ランプ１１４により残留電荷が消去される。転写後の転写紙は、転写ベルト１３０から分離され、定着前帯電器１３９、１４０によりトナーが再帯電され、定着器１４１に送られ加圧、加熱により定着され、排紙ローラ１４２により本体１００の外に排出される。
【００３１】
吸着帯電器１３８は、レジストローラ１３７から送られた転写紙を転写ベルト１３０に吸着させる。転写ベルトローラ１７０は、転写ベルト１３０の回転に用いられると同時に、吸着帯電器１３８と対になって、転写ベルト１３０に転写紙を吸着帯電させる。
【００３２】
画像処理装置本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、画像処理装置本体１００には、例えば１００枚の転写紙を収容し得るマルチ手差し１５３が装備されている。
【００３３】
排紙フラッパ１５４は、両面記録側ないし多重記録側と排紙側の経路を切り替える。排紙ローラ１４２から送り出された転写紙は、この排紙フラッパ１５４により両面記録側ないし多重記録側に切り替えられる。
【００３４】
多重フラッパ１５７は、両面記録と多重記録の経路を切り替えるものであり、これを左方向に倒すことにより、反転パス１５５を介さず、直接、搬送パス１５８に転写紙を導く。給紙ローラ１５９は、経路１６０を通じて転写紙を感光体ドラム１１０側に給紙する。
【００３５】
排出ローラ１６１は、排紙フラッパ１５４の近傍に配置されて、この排紙フラッパ１５４により排出側に切り替えられた転写紙を機外に排出する。両面記録（両面複写）時には、排紙フラッパ１５４を上方に上げて、多重フラッパ１５７を右に倒し、記録（複写）済みの転写紙を反転パス１５５を介した後、多重フラッパ１５７を左に倒し、搬送パス１５８を介して裏返した状態で再給紙トレイ１５６に格納する。
【００３６】
また、多重記録（多重複写）時には、排紙フラッパ１５４を上方に上げて、多重フラッパ１５７を左に倒し、記録（複写）済みの転写紙を搬送パス１５８を介した後、再給紙トレイ１５６に格納する。再給紙トレイ１５６に格納されている転写紙が、下から１枚ずつ給紙ローラ１５９により経路１６０を介して本体のレジストローラ１３７に導かれる。
【００３７】
本体から転写紙を反転して排出する時には、排紙フラッパ１５４を上方へ上げ、多重フラッパ１５７を右方向へ倒し、記録（複写）済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって転写紙を裏返して機外へ排出する。また、機外へ排出された転写紙は、フィニッシャ１９０に搬送される。
【００３８】
図３は、図１に示した画像処理装置１００のコア部１０の構成を示すブロック図であり、図１と同一のものには同一の符号を付してある。
【００３９】
図３において、コア部１０は、インタフェース部（Ｉ／Ｆ）３２０、３２２、３２８、３２７、データ処理部３２１、３２６、ＣＰＵ３２３（各制御手段）、メモリ３２４を備えている。
【００４０】
上記構成を詳述すると、リーダ部１からの画像データは、Ｉ／Ｆ３２２を介してデータ処理部３２１へ転送される。データ処理部３２１では、画像の回転処理や変倍処理などの画像処理を行う。また、そして、データ処理部３２１へ転送された画像データは、ＣＰＵ３２３を通じて、メモリ３２４にデジタル画像データとして蓄積される。また、操作部５００からの制御コマンドに応じて、ＣＰＵ３２３、データ処理部３２６、Ｉ／Ｆ３２７を通じて、プリンタ部２へ転送される。または、インタフェース部３２０を介してモデム通信部４、ネットワーク処理部７へ転送される。
【００４１】
また、ネットワーク処理部７を介して入力された画像を表すコードデータは、Ｉ／Ｆ３２０を介して、ＣＰＵ３２３へ転送され、ＣＰＵが、ＰＤＬコードであると判定した場合、ＰＤＬコードを、Ｉ／Ｆ３２０を通じて、ＰＤＬ展開部８へ転送されて、そこで、画像ビットマップデータに展開される。この画像ビットマップデータは、Ｉ／Ｆ３２０、ＣＰＵ３２３を通じて、メモリ３２４へ蓄積されていく。その後、ＣＰＵ３２３、データ処理部３２６、Ｉ／Ｆ３２７を通じて、プリンタ部２へ転送され、プリントする。
【００４２】
モデム通信部４からのファックス画像データは、Ｉ／Ｆ３２０、ＣＰＵ３２３を介して、データ処理部３２６へ転送された後、Ｉ／Ｆ３２７を介して、プリンタへ転送される。
【００４３】
ＣＰＵ３２３は、メモリ３２４に記憶されている制御プログラム、及び、Ｉ／Ｆ３２８経由で操作部５００から受けた制御コマンドに従って、上記のような制御を行う。また、メモリ３２４はＣＰＵ３２３の作業領域としても使われる。
【００４４】
このように、本画像処理装置では、画像入出力制御部３のコア部１０を中心に、原稿画像の読み取り、画像のプリント、画像の送受信、画像の保存、コンピュータからのデータの入出力などの機能を複合させた処理を行うことが可能である。
【００４５】
図４は、図１に示した画像処理装置１００の操作部５００の表示部に表示される基本画面を示す説明図である。なお、本実施形態において、該画面はタッチパネルで構成されており、それぞれ表示される機能の枠内を触れることにより、その機能が実行される。
【００４６】
図４において、コピーモードキー５２４は、複写動作を行う場合に押すキーである。そして、このコピーモードキー５２４が押されたときに、コピーモードの画面５３０を表示する。
【００４７】
拡張機能キー５０１は、このキー５０１を押すことによって両面複写、多重複写、移動、綴じ代の設定、枠消しの設定等のモードに入る。
【００４８】
５４０はステータスラインであり、機器の状態や印刷情報を示すメッセージを表示する。図４に示す表示例の場合、「コピー中」であることを示している。
【００４９】
画像モードキー５０２は、複写画像に対して網掛け、影付け、トリミング、マスキングを行うための設定モードに入る。ユーザモードキー５０３は、モードメモリの登録、標準モード画面の設定が行える。
【００５０】
応用ズームキー５０４は、原稿のＸ方向、Ｙ方向を独立に変倍するモード、原稿サイズと複写サイズから変倍率を計算するズームプログラムのモードに入る。Ｍ１キー５０５、Ｍ２キー５０６、Ｍ３キー５０７は、それぞれに登録されたモードメモリを呼び出す際に押すキーである。オプションキー５０９は、フィルムから直接複写するため、フィルムプロジェクタ等のオプション機能の設定を行うキーである。
【００５１】
ソータキー５１０は、ソート、ノンソート、グループの設定を行うキーである。原稿混載キー５１１は、原稿フィーダにＡ４サイズとＡ３サイズ、またはＢ５サイズとＢ４サイズの原稿を一緒にセットする際に押すキーである。
【００５２】
等倍キー５１２は、複写倍率を１００％にする際に押すキーである。縮小キー５１４、拡大キー５１５は、定型の縮小、拡大を行う際に押すキーである。用紙選択キー５１３は、複写用紙の選択を行う際に押すキーである。濃度キー５１８、５２０は、濃度キー５１８を押す毎に濃く複写され、濃度キー５２０を押す毎に薄く複写される。
【００５３】
濃度表示部５１７は、濃度キー５１８、５２０を押すと表示が左右に変化する。ＡＥキー５１９は、新聞のように地肌の濃い原稿を自動濃度調整複写するときに押すキーである。
【００５４】
ＨｉＦｉキー５２１は、写真原稿のように中間調の濃度が濃い原稿の複写の際に押すキーである。文字強調キー５２２は、文字原稿の複写で文字を際だたせたい場合に押すキーである。
【００５５】
ガイドキー（？キー）５２３は、あるキーの機能がわからないとき押すキーであり、そのキーの説明が表示される。ファクスキー５２５は、ファクスを行うときに押すキーである。
【００５６】
ボックスキー５２６は、本発明に関わる、情報処理機器の記憶装置を操作するときに押すキーである。プリンタキー５２７は、プリントの濃度を変更する、あるいは、リモートのホストコンピュータからのＰＤＬデータのプリント出力詳細情報を参照したい場合に押すキーである。５５０は履歴キーであり、これを押下することで、印刷済みのジョブの履歴情報を表示する。例えば印刷ジョブの、終了時刻、ユーザ名、ファイル名、印刷枚数等の情報を表示する。５０１は格納機能キー、５２８はＩＤキー、５０８はコールキー、５１６はズームキーである。
【００５７】
図５は、図１に示した画像処理装置１００の操作部５００に表示されるボックス基本画面の一例を示す図である。
【００５８】
本実施形態において、ボックスには、画像処理装置１００のスキャン画像や、画像データが格納されるが、画像データの記憶領域は、実際は、画像処理装置１００とネットワーク接続される情報処理装置の記憶手段に確保される。
【００５９】
つまり、画像処理装置内では画像データの領域を確保しない。そのため、図５は、画像処理装置１００の操作部５００から、ネットワークＮＥＴを通じて、各情報処理装置（ＰＣ）のハードディスク内に格納されている画像データ領域を直接参照している様子を示している。
【００６０】
４００はボックス画面であり、基本画面５００Ａでボックスキー５２６を押したときに表示する。４０１はＮｏ．１ボックスキーであり、Ｎｏ．１ボックスキー４０１を押すことで、ＰＣ１１のハードディスク３０内の「￥￥ｋａｔｏ−ｐｃ￥ｂｏｘ」に格納されている画像データの一覧を表示することができる。
【００６１】
４０３はＮｏ．１ボックスのアドレスであり、Ｎｏ．１ボックスの実体は、ＰＣ１１のハードディスク３０に格納されている画像データの格納場所である、例えば「￥￥ｋａｔｏ−ｐｃ￥ｂｏｘ」にあることを示している。
【００６２】
同様に、４０２はＮｏ．２ボックスキーであり、Ｎｏ．２ボックスキーを押すことで、ＰＣ１２のハードディスク３６に格納されている画像データの一覧を表示することができる。４０４は、Ｎｏ．２ボックスのアドレスであり、Ｎｏ．２ボックスの実体は、ＰＣ１２のハードディスク３６に格納されている画像データの格納場所である、例えば「￥￥ｔａｎａｋａ−ｐｃ￥ｂｏｘ」にあることを示している。
【００６３】
４０５は下スクロールキーであり、ボックスが、Ｎｏ．３以上ある場合で、下スクロールして、他のボックスを表示したい場合に押す。一回押す毎に、ボックスＮｏ．が、一つ進んで表示される。４０６は上スクロースキーであり、一回押す毎に、ボックスＮｏ．が、一つ若い番号へずれて表示される。
【００６４】
４０７は戻るキーであり、４００のボックス画面を閉じて、メイン画面５００Ａに戻る場合に押す。
【００６５】
図６は、図１に示した画像処理装置１００の操作部５００に表示されるボックス処理画面の一例を示す図であり、図５に示したボックス基本画面において、Ｎｏ．１ボックスキー４０１を押したときの、画像処理装置の操作部５００に表示される表示画面に対応する。
【００６６】
図６において、４８１は画像データ一覧であり、ＰＣ１１内のハードディスク３０、つまり、アドレス「￥￥ｋａｔｏ−ｐｃ￥ｂｏｘ」に、「見積書．ｄｏｃ」、「Ｆｉｌｅ０００１．ｊｐｇ」のデータが格納されていることを示している。
【００６７】
４８２は上スクロールキー、４８３は下スクロールキーであり、表示されている画像データ以外の画像データの一覧を上または下に一つずつスクロールして表示するときに押す。４８４はスキャンキーであり、画像処理装置のリーダ部１でスキャンした原稿をスキャンし、ボックスＮｏ．１つまり、「￥￥ｋａｔｏ−ｐｃ￥ｂｏｘ」にスキャンした画像データを送信するときに押す。
【００６８】
プリントキー４８５は、ボックス内の画像データを印刷したい場合に押すキーであり、例えば「見積書．ｄｏｃ」を印刷したい場合、その文書名を表示している場所をタッチして反転させ、その後、プリントキー４８５を押すことで、ＰＣ１１内のハードディスク３０に格納されている「見積書．ｄｏｃ」を画像処理装置１００で印刷することができる。
【００６９】
送信キー４８６は、ボックス内の画像データを指定し、ＦＡＸ送信、あるいは、他の装置へ送信、あるいは、他のＰＣのハードディスクへ送信する場合に押す。例えば「Ｆｉｌｅ０００１．ｊｐｇ」を送信したい場合、その文書名を表示している場所をタッチして反転させ、その後、送信キー４８６を押すことで、ＰＣ１１内のハードディスク３０に格納されている「Ｆｉｌｅ０００１．ｊｐｇ」を、画像処理装置へ引き出し、そこから、ＦＡＸ送信、あるいは、他の装置へ送信、あるいは、他のＰＣのハードディスクへ送信することができる。
【００７０】
４８７は戻るキーであり、ボックス処理画面４８０を閉じて、ボックス基本画面４００に戻る場合に押す。
【００７１】
図７は、本発明に係る画像処理装置における第１のボックス機能処理状態を説明する模式図であり、本発明を構成する送信記憶手段、受信手段のデータ処理状態例を説明する図である。
【００７２】
図８は、本発明に係る画像処理装置における第１のデータ処理手順の一例を示すフローチャートであり、コア部１０によるデータ処理例に対応する。なお、Ｓ１０１〜Ｓ１１０は各ステップを示す。
【００７３】
図８に示すステップＳ１０１で、まず操作したいボックスを指定する。これは、図５において、ボックスキー４０１、４０２などを押す操作に対応する。次に、ステップＳ１０２において、図６に示したボックス処理画面となり、スキャンキー４８４を押したかを判定して、スキャンキー４８４を押下していないと判定した場合は、ステップＳ１０４へ進む。
【００７４】
一方、スキャンキー４８４を押下したと判定した場合は、ステップＳ１０３で、スキャン画像４５０は、リーダ部１から、ｊｐｅｇ形式の形で受け取り、（図７に示す転送データ４５１）、Ｉ／Ｆ３２２、データ処理部３２１、ＣＰＵ３２３、Ｉ／Ｆ３２０、ネットワーク処理部７を通じて、ＰＣ１１のハードディスク３０に、図７に示す転送データフロー４５２として転送されスキャン画像４５０として格納される。
【００７５】
この場合、スキャンファイル名称は、画像処理装置側で、任意のファイル名、例えば、「Ｆｉｌｅ０００１．ｊｐｇ」で一旦作られる。但し、格納するボックスに同一名称のファイル名があった場合は、別のファイル名、例えば、「Ｆｉｌｅ０００２．ｊｐｇ」で格納するようにする。
【００７６】
次に、ステップＳ１０４において、図６に示したボックス画面で画像データ名を指定して反転させ、プリントキー４８５を押したかを判定して、プリントキー４８５を押していないと判定した場合は、ステップＳ１０７以降へ進む。
【００７７】
一方、ステップＳ１０４で、プリントキー４８５を押していると判定した場合は、ステップＳ１０５で文書指定、つまり、図６に示したプリントしたい画像データのファイル名の表示箇所をタッチしたかを判定し、押していると判定した場合は、ステップＳ１０６で、対象画像プリントデータ４５５をハードディスク３０から読み出し、ＰＤＬ形式のデータに変換してから、図７に示すデータ転送フロー４５６として画像処理装置１００へ転送され、ネットワーク処理部７、Ｉ／Ｆ３２０、ＰＤＬ展開部８へ転送し、ＰＤＬからビットマップ形式画像へ変換し、Ｉ／Ｆ３２０、ＣＰＵ３２３、データ処理部３２６、Ｉ／Ｆ３２７を通じて、データ転送フロー４５７として、プリンタ部２へビットマップ画像データを転送し、プリンタ部２でプリントする。
【００７８】
なお、対象画像プリントデータ４５５は、図７に示すデータ作成フロー４５４に基づきＰＣ１１内のアプリケーションにより作成される。また、対象画像プリントデータは、スキャン画像データ４５０でもよく、同様にハードディスク３０から読み出し、スキャン画像データのまま、データ転送フロー４５６で、ネットワーク処理部７、Ｉ／Ｆ３２０、ＣＰＵ３２３、データ処理部３２６、Ｉ／Ｆ３２７を通じて、データ転送フロー４５７で、プリンタ部２へ画像を転送し、プリンタ部２でプリントする。
【００７９】
次に、ステップＳ１０７で、送信キー４８６を押したかを判定して、押していないと判定した場合は、ステップＳ１１０へ進む。
【００８０】
一方、ステップＳ１０７で、送信キー４８６を押していると判定した場合は、ステップＳ１０８で、文書指定、つまり、図６に示した送信したい画像データのファイル名の表示箇所をタッチしたかを判定し、タッチしていると判定した場合は、ステップＳ１０９で、対象画像プリントデータ４５５を、ハードディスク３０から読み出し、図７に示すデータ転送フロー４５６で、ネットワーク処理部７、Ｉ／Ｆ３２０を通じて、ＣＰＵ３２３がメモリ３２４に一旦受け取る。
【００８１】
なお、送信のプロトコルと宛先は、あらかじめ画像処理装置のメモリ３２４に登録されており、それが、ＦＡＸと電話番号であれば、モデム通信部４、公衆回線網１５を通じて、相手先のＦＡＸ１４へ画像を送信する（図７のデータ転送フロー４６０参照）。
【００８２】
また、送信のプロトコルがネットワークプロトコルであり、宛先がＰＣのネットワークアドレス（ＩＰアドレスなど）の場合、メモリ３２４の画像を、Ｉ／Ｆ３２０、ネットワーク処理部７を通じて、他のＰＣ１２へ送信する。
【００８３】
また、送信のプロトコルがネットワークプロトコルであり、宛先がＰＣのハードディスクの格納場所、例えば、「￥￥ｔａｎａｋａ−ｐｃ￥ｂｏｘ」の場合、メモリ３２４の画像を、Ｉ／Ｆ３２０、ネットワーク処理部７を通じて、他のＰＣ１２のハードディスク３６へ格納する。
【００８４】
そして、ステップＳ１１０では、図５に示した、戻るキー４０７が押されたかを判定し、押されていると判定した場合は、処理を終了し、押されていないと判定した場合は、ステップＳ１０２に戻る。
【００８５】
これにより、画像処理装置１００において、ハードディスク等を備えていなくても、ＰＣ側のハードディスクを画像処理装置１００のリモートボックスとして機能させ、画像処理装置１００がハードディスク等のボックスを備えているのと同等のボックス機能処理を低コストで実現できる。
【００８６】
〔第２実施形態〕
上記実施形態では、出力すべき情報が、コンピュータ１１のハードディスク上で管理されている文書または画像を画像処理装置１００のボックス機能で登録あるいは出力する場合について説明したが、出力情報がコンピュータ１１とコンピュータ１２のハードディスク上で別個独立管理されている場合でも、画像処理装置１００上の操作画面より、それぞれのコンピュータ１１とコンピュータ１２に管理されている情報を選択し、該選択された各情報を結合してプリントしたり、外部に送信したりするように制御してもよい。以下、その実施形態について説明する。
【００８７】
以下、図９、図１０、図１１、図１２を用いて、第２実施形態について説明する。
【００８８】
図９は、本発明の第２実施形態を示す画像処理装置における操作画面例を示す図であり、図５に示した操作画面において、Ｎｏ．１ボックスキー４０１を押したときの、画像処理装置の操作部の操作画面例を示している。
【００８９】
図９において、６０１は画像データ一覧であり、ＰＣ１１内のハードディスク３０、つまり、アドレス「￥￥ｋａｔｏ−ｐｃ￥ｂｏｘ」に、「Ｆｉｌｅ０００１．ｊｐｇ」というデータが格納されていることを示している。
【００９０】
６０２は上スクロールキー、６０３は下スクロールキーであり、表示されている画像データ以外の画像データの一覧を上または下に一つずつスクロールして表示するときに押す。
【００９１】
６０８はスキャンキーであり、画像処理装置のリーダ部１でスキャンした原稿をスキャンし、ボックスＮｏ．１つまり、「￥￥ｋａｔｏ−ｐｃ￥ｂｏｘ」にスキャンした画像データを送信するときに押す。
【００９２】
プリントキー６０９は、ボックス内の画像データを印刷したい場合に押すキーであり、例えば「Ｆｉｌｅ０００１．ｊｐｇ」を印刷したい場合、その文書名を表示している場所をタッチして反転させ、その後、プリントキー６０９を押すことで、ＰＣ１１内のハードディスク３０に格納されている「Ｆｉｌｅ０００１．ｊｐｇ」を、画像処理装置で印刷することができる。
【００９３】
送信キー６１０は、ボックス内の画像データを指定し、ＦＡＸ送信、あるいは、他の装置へ送信、あるいは、他のＰＣのハードディスクへ送信する場合に押す。例えば、「Ｆｉｌｅ０００１．ｊｐｇ」を送信したい場合、その文書名を表示している場所をタッチして反転させ、その後、送信キー６１０を押すことで、ＰＣ１１内のハードディスク３０に格納されている「Ｆｉｌｅ０００１．ｊｐｇ」を、画像処理装置へ引き出し、そこから、ＦＡＸ送信、あるいは、他の装置へ送信、あるいは、他のＰＣのハードディスクへ送信することができる。
【００９４】
６１１は戻るキーであり、画面６００を閉じて、画面４００に戻る場合に押す。６０４は選択キーであり、画像データ一覧６０１に表示されている文書名の欄をタッチして表示を反転させた後、選択キー６０４を押すことにより、その文書名を選択状態にする。複数の文書を選択状態にする場合、同様に、画像データ一覧６０１に表示されている他の文書名の欄をタッチして反転させた後、選択キー６０４を押すことにより、同様にその文書も選択状態にする。選択状態になった場合、その文書名を表示している右端に、「＊」マークを表示する。
【００９５】
６０５は選択クリアキーであり、直前に選択キー６０４で選択した文書を選択状態から外すときに押す。６０６は選択全クリアキーであり、選択キー６０４で選択したすべての文書を選択状態から外すときに押す。
【００９６】
また、このとき、他のボックス画面において選択した文書も含め、選択状態から外れる。６０７は選択文書数表示部であり、選択状態となった文書の合計数を表示する。これは、他のボックス画面において選択した文書も含めた合計数を表示している。
【００９７】
図１０は、本発明の第２実施形態を示す画像処理装置における操作画面例を示す図であり、図５に示した操作画面において、Ｎｏ．２ボックスキー４０２を押したときの、画像処理装置の操作部の画面例を示している。
【００９８】
図１０において、６３１は画像データ一覧であり、ＰＣ１２内のハードディスク３６、つまり、アドレス「￥￥ｔａｎａｋａ−ｐｃ￥ｂｏｘ」に、「議事録．ｔｘｔ」というデータが格納されていることを示している。
【００９９】
６３２は、上スクロールキー、６３３は下スクロールキーであり、表示されている画像データ以外の画像データの一覧を上または下に一つずつスクロールして表示するときに押す。
【０１００】
６３８はスキャンキーであり、画像処理装置のリーダ部１でスキャンした原稿をスキャンし、ボックスＮｏ．２つまり、「￥￥ｔａｎａｋａ−ｐｃ￥ｂｏｘ」にスキャンした画像データを送信するときに押す。
【０１０１】
プリントキー６３９は、ボックス内の画像データを印刷したい場合に押すキーであり、例えば、「議事録．ｔｘｔ」を印刷したい場合、その文書名を表示している場所をタッチして反転させ、その後、プリントキー６３９を押すことで、ＰＣ１２内のハードディスク３６に格納されている「議事録．ｔｘｔ」を、画像処理装置で印刷することができる。
【０１０２】
送信キー６４０は、ボックス内の画像データを指定し、ＦＡＸ送信、あるいは、他の装置へ送信、あるいは、他のＰＣのハードディスクへ送信する場合に押す。例えば、「議事録．ｔｘｔ」を送信したい場合、その文書名を表示している場所をタッチして反転させ、その後、送信キー６４０を押すことで、ＰＣ１２内のハードディスク３６に格納されている「議事録．ｔｘｔ」を、画像処理装置へ引き出し、そこから、ＦＡＸ送信、あるいは、他の装置へ送信、あるいは、他のＰＣのハードディスクへ送信することができる。
【０１０３】
６４１は戻るキーであり、画面６３０を閉じて、画面４００に戻る場合に押す。６３４は選択キーであり、テキストデータ一覧６３１に表示されている文書名の欄をタッチして表示を反転させた後、選択キー６３４を押すことにより、その文書名を選択状態にする。
【０１０４】
複数の文書を選択状態にする場合、同様に、テキストデータ一覧６３１に表示されている他の文書名の欄をタッチした後、選択キー６３４を押すことにより、同様にその文書も選択状態にする。選択状態になった場合、その文書名を表示している個所は、反転表示される。
【０１０５】
６３５は選択クリアキーであり、直前に選択キー６３４で選択した文書を選択状態から外すときに押す。６３６は選択全クリアキーであり、選択キー６３４で選択したすべての文書を選択状態から外すときに押す。
【０１０６】
また、このとき、他のボックス画面において選択した文書も含め、選択状態から外れる。６３７は選択文書数表示部であり、選択状態となった文書の合計数を表示する。これは、他のボックス画面において選択した文書も含めた合計数を表示している。
【０１０７】
これにより、図９、図１０に示した操作画面による操作手順により、結局、「Ｆｉｌｅ０００１．ｊｐｇ」，「議事録．ｔｘｔ」の２文書が選択状態になっていることを示している。
【０１０８】
図１１は、本発明に係る画像処理装置における第２のボックス機能処理状態を説明する模式図であり、本発明を構成する複数データ受信手段と、結合手段のデータ処理状態例を説明する。
【０１０９】
図１２は、本発明に係る画像処理装置における第２のデータ処理手順の一例を示すフローチャートであり、コア部１０によるデータ処理例に対応する。なお、Ｓ２０１〜Ｓ２０６は各ステップを示す。
【０１１０】
まず、ステップＳ２０１で、ボックスＮｏ．１の文書（画像データ）を選択する。なお、選択操作は、図９で説明した通りであり、画像データ一覧中より、例えば「Ｆｉｌｅ０００１．ｊｐｇ」を選択する。
【０１１１】
「Ｆｉｌｅ０００１．ｊｐｇ」は、リーダ部１からスキャンしたスキャン画像４８０をｊｐｅｇ形式の形で受け取り（図１１に示すデータ転送フロー４７０参照）、Ｉ／Ｆ３２２、データ処理部３２１、ＣＰＵ３２３、Ｉ／Ｆ３２０、ネットワーク処理部７を通じて、ＰＣ１１のハードディスク３０に格納される（図１１に示すデータ転送フロー４７０参照）。操作部上からは、ボックス画面４０１を通じて行うことになる。
【０１１２】
次に、ステップＳ２０２で、ボックスＮｏ．２の文書を選択する。なお、選択操作は、図１０で説明した通りであり、例えば「議事録．ｔｘｔ」を選択する。
【０１１３】
なお、「議事録．ｔｘｔ」は、ＰＣ１２上のアプリケーションで生成したテキスト形式のデータであり、ハードディスク３６内に格納されているテキスト文書４８１である。
【０１１４】
そして、ステップＳ２０３で、プリントキー６０９またはプリントキー６３９を押したかを判定して、押していないと判定した場合は、ステップＳ２０５に移る。
【０１１５】
一方、ステップＳ２０３でプリントキー６０９またはプリントキー６３９が押されていると判定した場合は、ステップＳ２０４で、選択した二つの出力情報、例えば画像と文書である、「Ｆｉｌｅ０００１．ｊｐｇ」、「議事録．ｔｘｔ」を結合し、プリントする。
【０１１６】
具体的には、ハードディスク３０内のスキャン文書４８０を引き出し、ネットワーク処理部７、Ｉ／Ｆ３２０、ＣＰＵ３２３、メモリ３２４に一旦格納する（図１１のデータ転送フロー４７２参照）。
【０１１７】
次に、ハードディスク３６内のテキスト文書４８１を、ＰＤＬ形式のデータに変換してから、ネットワーク処理部７、Ｉ／Ｆ３２０、ＰＤＬ展開部８へ転送してビットマップ展開し、Ｉ／Ｆ３２０、ＣＰＵ３２３を通じてメモリ３２４に一旦格納する（図１１のデータ転送フロー４７４参照）。
【０１１８】
そして、それら二つの文書を一つの文書として（図１１の結合データ４８２）プリンタ部２へ転送し、まとめてプリントして（図１１に示すデータ転送フロー４７５参照）、処理を終了する。
【０１１９】
一方、ステップＳ２０３でプリントキーが押下されていないと判定した場合には、ステップＳ２０５では、送信キー６１０または送信キー６４０を押したかを判定し、押していないと判定された場合には、処理を終了する。
【０１２０】
一方、ステップＳ２０５で、送信キー６１０または送信キー６４０が押下されていると判定した場合は、ステップＳ２０６で、選択した二つの情報（文書と画像）である、「Ｆｉｌｅ０００１．ｊｐｇ」、「議事録．ｔｘｔ」を結合して指定先に送信して、処理を終了する。
【０１２１】
具体的には、ハードディスク３０内のスキャン文書４８０を引き出し、ネットワーク処理部７、Ｉ／Ｆ３２０、ＣＰＵ３２３、メモリ３２４に一旦格納する（図１１のデータ転送フロー４７２参照）。
【０１２２】
次に、ハードディスク３６内のテキスト文書４８１を、ＰＤＬ形式にしてから、ネットワーク処理部７、Ｉ／Ｆ３２０、ＰＤＬ展開部８へ転送してビットマップ展開し、Ｉ／Ｆ３２０、ＣＰＵ３２３を通じてメモリ３２４に一旦格納する。（図１１に示すデータ転送フロー４７４）。
【０１２３】
なお、送信する際、プロトコルと宛先は、あらかじめ画像処理装置のメモリ３２４に登録されており、それが、ＦＡＸと電話番号であれば、モデム通信部４、公衆回線網１５を通じて相手先のＦＡＸ１４へ、メモリ３２４に格納された上記二つの文書を一つの文書として、まとめてＦＡＸ送信する（図１１に示すデータ転送フロー４７６参照）。
【０１２４】
また、送信のプロトコルがネットワークプロトコルであり、宛先がＰＣのネットワークアドレス（ＩＰアドレスなど）の場合、メモリ３２４に格納された上記二つの画像を一つの画像として（図１１のデータ転送フロー４７６参照）、Ｉ／Ｆ３２０、ネットワーク処理部７を通じて、他のＰＣ１２へ送信する。
【０１２５】
また、送信のプロトコルがネットワークプロトコルであり、宛先がＰＣのハードディスクの格納場所、例えば、「￥￥ｓａｔｏ−ｐｃ￥ｂｏｘ」の場合、メモリ３２４の二つの画像を一つの画像として、Ｉ／Ｆ３２０、ネットワーク処理部７を通じて、他のＰＣ１８のハードディスク１９に格納する。
【０１２６】
そして、それら二つの文書を一つの文書として（図１１の結合データ４８２）プリンタ部２へ転送し、まとめてプリントする。
【０１２７】
また、リーダ部１からスキャンしたスキャン文書４８０をｊｐｅｇ形式の形で受け取り（図１１に示すデータ転送フロー４７０参照）、Ｉ／Ｆ３２２、データ処理部３２１、ＣＰＵ３２３、Ｉ／Ｆ３２０、ネットワーク処理部７を通じて、ＰＣ１１のハードディスク３０に格納される（図１１に示すデータ転送フロー４７１参照）。この際の操作は、操作部上のボックス画面４０１を通じて行うことになる。
【０１２８】
〔第３実施形態〕
上記各実施形態では、コンピュータ１１，１２に対するデータ書き込みあるいは登録されたボックス内の情報のプリント等に対して何ら制限を設けていない場合について説明したが、ボックス機能として確保される領域に対するアクセス制限を設けて、セキュリティ面を強化できるように構成してもよい。以下、その実施形態について説明する。
【０１２９】
次に、図９、図１０、図１３、図１４、図１５を用いて、第３実施形態について説明する。
【０１３０】
図１３は、本発明の第３実施形態を示す画像処理装置におけるユーザ識別情報入力画面の一例を示す図であり、本実施形態では、パスワード入力によりボックス機能操作に対するユーザ認証を行う場合に相当する。
【０１３１】
図１３において、パスワード入力画面７００は、図９に示したスキャンキー６０８を押したときに開く、パスワード入力画面である。
【０１３２】
つまり、スキャンキー６０８を押すことで、リーダ部１でスキャンしたスキャン画像８０５を、ＰＣ１１のハードディスク３０に格納することになるが、このとき、ＰＣ１１のハードディスク３０に対する書き込みがパスワードによる制限されている。
【０１３３】
また、図１３に示す画面では、図１０に示す操作画面において、文書を指定し、プリントキー６３９を押したときにも開く。
【０１３４】
つまり、プリントキー６３９を押すことで、ＰＣ１２内のハードディスク３６に格納されているテキスト文書８２７を読み出し、プリンタ部２でプリントすることになるが、このとき、ＰＣ１２のハードディスク３６からの文書の読み出し、ハードディスク３６への文書の書き込みの両方にパスワードによる制限がされている。
【０１３５】
７０１はパスワード表示部であり、図示しないテンキーで、最大７桁までの数値を入力する度に、＊マークを表示する。７０２はクリアキーであり、入力したパスワードをクリアする場合に押す。７０３はＯＫキーであり、入力したパスワードで認証する場合に押す。７０４は戻るキーであり、この画面に遷移する前の画面に戻る場合に押す。
【０１３６】
図１４は、本発明に係る画像処理装置における第２のボックス機能処理状態を説明する模式図であり、認証送信記憶処理と、認証受信処理について説明する。
【０１３７】
図１５は、本発明に係る画像処理装置における第３のデータ処理手順の一例を示すフローチャートであり、コア部１０によるデータ処理例に対応する。なお、Ｓ３０１〜Ｓ３１１は各ステップを示す。
【０１３８】
まず、ステップＳ３０１で、ボックスを指定する。つまり、図５に示した、例えばボックスＮｏ．１のキー４０１を押す。そして、ステップＳ３０２で、図９に示したスキャンキー６０８を押したかを判定し、押していないと判定した場合は、ステップＳ３０５へ移る。
【０１３９】
一方、ステップＳ３０２で、スキャンキー６０８を押していると判定した場合は、ステップＳ３０３で、ユーザにパスワード入力を促す。すなわち、図１３に示した操作画面表示に遷移し、パスワードを入力させる。
【０１４０】
なお、入力パスワード８０６は、画像処理装置から、ネットワーク処理部７を通じてＰＣ１１へ転送し（図１４に示すデータ転送フロー８０１参照）、ＰＣ１１のハードディスク３０内にあらかじめ登録されているパスワード８０７と比較する。図１４に示す例の場合、入力パスワードが、例えば「１２３」であり、登録パスワードが「１２３」のため、コンピュータ１１が認証し、該認証結果がＯＫであることをネットワーク処理部７を通じて、ＰＣ１１から画像処理装置１００へ送信する（図１４に示すデータ転送フロー８０２参照）。そして、ステップＳ３０４へ移る。
【０１４１】
そして、ステップＳ３０３で、入力パスワードと登録パスワードが一致しない、つまり認証がＮＧだった場合、ステップＳ３１１へ移る。なお、この認証は、ＰＣ１１のハードディスク３０へのＷｒｉｔｅ権限の認証である。ハードディスク３０からのＲｅａｄに関しては認証を必要としない。
【０１４２】
一方、ステップＳ３０３で、入力パスワードと登録パスワードが一致していると判定した場合は、ステップＳ３０４で、リーダ部１でセットされた原稿をスキャンし、Ｉ／Ｆ３２２、データ処理部３２１、ＣＰＵ３２３、Ｉ／Ｆ３２０、ネットワーク処理部７を通じて、スキャン画像８０５をＰＣ１１のハードディスク３０へ格納する（図１に示すデータ転送フロー８０４）。
【０１４３】
そして、ステップＳ３０５では、プリントキー６３９が押されたかを判定して、プリントキー６３９が押されていないと判定した場合は、ステップＳ３０８へ進み、プリントキー６３９が押されていると判定した場合は、ユーザにパスワード入力を促す。すなわち、図１３に示した操作画面表示に遷移し、パスワードを入力させる。
【０１４４】
なお、入力パスワード８２１は、画像装置装置１００から、ネットワーク処理部７を通じてＰＣ１２へ転送し（図１４に示すデータ転送フロー８２２参照）、ＰＣ１２のハードディスク３６内にあらかじめ登録されているパスワード８３０と比較する。
【０１４５】
図１４に示す例の場合、入力パスワードが「４５６」であり、登録パスワードが「４５６」のため、ステップＳ３０６でＯＫ認証となり、該認証結果がＯＫであることをネットワーク処理部７を通じて、ＰＣ１２から画像処理装置１００へ送信する（図１４に示すデータ転送フロー８２３）。尚、ステップＳ３０６で、認証がＮＧとなった場合は、ステップＳ３１１へ進む。
【０１４６】
そして、ステップＳ３０７では、ＰＣ１２のアプリケーションで作成された（図１４に示すデータ作成フロー８２０参照）文書データ８２７を、ＰＤＬの形式で、ネットワーク処理部７を通じて画像処理装置へ転送し（図１４に示すデータ転送フロー８２４）、Ｉ／Ｆ３２０を通じて、ＰＤＬ展開部８でＰＤＬからビットマップ画像へ展開し、Ｉ／Ｆ３２０、ＣＰＵ３２３、データ処理部３２６、Ｉ／Ｆ３２７を通じてプリンタ部２で印刷して（図１４に示すデータ転送フロー８２６参照）、ステップＳ３１１へ進む。
【０１４７】
一方、ステップＳ３０５で、プリントキーが押下されていないと判定した場合は、ステップＳ３０８へ進み、送信キー６４０が押されたかを判定して、押していないと判定した場合は、ステップＳ３１１へ遷移する。
【０１４８】
一方、ステップＳ３０８で、送信キー６４０が押されていると判定した場合は、ユーザにパスワード入力を促す。すなわち、図１３に示す操作画面表示に遷移し、パスワードを入力させる。
【０１４９】
この際、入力パスワード８２１は、画像処理装置から、ネットワーク処理部７を通じてＰＣ１２へ転送し（図１４に示すデータ転送フロー８２２参照）、ＰＣ１２のハードディスク３６内にあらかじめ登録されているパスワード８３０と比較する。図１４に示す例の場合、入力パスワードが「４５６」であり、登録パスワードが「４５６」のため、認証し、認証結果がＯＫであることをネットワーク処理部７を通じて、ＰＣ１２から画像処理装置へ送信する（図１４に示すデータ転送フロー８２３参照）。そして、入力パスワードと登録パスワードが一致しない、つまり認証がＮＧだった場合、ステップＳ３１１へ移る。
【０１５０】
一方、ステップＳ３０９で、認証がＯＫと判定された場合には、ステップＳ３１０で、ＰＣ１２のアプリケーションで作成された（図１４に示すデータ作成フロー８２０参照）文書データ８２７を、ＰＤＬの形式で、ネットワーク処理部７を通じて画像処理装置１００へ転送し（図１４に示すデータ転送フロー８２４参照）、Ｉ／Ｆ３２０を通じて、ＰＤＬ展開部８でＰＤＬからビットマップ画像へ展開し、Ｉ／Ｆ３２０を経由して、一旦メモリ３２４に格納した後、指定文書を送信して、ステップＳ３１１で、戻るキー６１１または６４１が押されたかを判定し、押されていないと判定した場合は、ステップＳ３０２へ戻り、押されていると判定した場合は、処理を終了する。
【０１５１】
以下、図５において、ボックスＮｏ．２のキー４０２を押して、ボックスＮｏ．２を指定した場合、図１０の画面に遷移した上記処理例を説明する。
【０１５２】
図１０において、「議事録．ｔｘｔ」の表示部をタッチして反転させ、送信キー６４０を押す。押していない場合、ステップＳ３１１へ遷移する。ステップＳ３０６では、ユーザにパスワード入力を促す。すなわち、図１３の画面に遷移し、パスワードを入力させる。入力パスワード８２１は、画像処理装置から、ネットワーク処理部７を通じてＰＣ１２へ転送し（図１４に示すデータ転送フロー８２２）、ＰＣ１２のハードディスク３６内にあらかじめ登録されているパスワード８３０と比較する。
【０１５３】
図１４に示す場合、入力パスワードが「４５６」であり、登録パスワードが「４５６」のため、認証し、認証結果がＯＫであることをネットワーク処理部７を通じて、ＰＣ１２から画像処理装置へ送信する（図１４に示すデータ転送フロー８２３）。そして、ステップＳ３１０へ移る。
【０１５４】
入力パスワードと登録パスワードが一致しない、つまり認証がＮＧだった場合、ステップＳ３１１へ移る。
【０１５５】
なお、この認証は、ハードディスク１２へのＲｅａｄおよびＷｒｉｔｅ権限があるかどうかの認証となる。ステップＳ３１０では、ＰＣ１２のアプリケーションで作成された（図１４に示すデータ作成フロー８２０）文書データ８２７を、ＰＤＬの形式で、ネットワーク処理部７を通じて画像処理装置へ転送し（図１４に示すデータ転送フロー８２４）、Ｉ／Ｆ３２０を通じて、ＰＤＬ展開部８でＰＤＬからビットマップ画像へ展開し、Ｉ／Ｆ３２０を経由して、一旦メモリ３２４に格納する。
【０１５６】
また、本実施形態において、送信する際、プロトコルと宛先は、あらかじめ画像処理装置のメモリ３２４に登録されており、それが、ＦＡＸと電話番号であれば、モデム通信部４、公衆回線網１５を通じて相手先のＦＡＸ１４へ、メモリ３２４に格納された画像をＦＡＸ送信する（図１４に示すデータ転送フロー８２５）。
【０１５７】
また、送信のプロトコルがネットワークプロトコルであり、宛先がＰＣのネットワークアドレス（ＩＰアドレスなど）の場合、メモリ３２４に格納された画像をＩ／Ｆ３２０、ネットワーク処理部７を通じて、他のＰＣ１８へ送信する。
【０１５８】
また、送信のプロトコルがネットワークプロトコルであり、宛先がＰＣのハードディスクの格納場所、例えば、「￥￥ｓａｔｏ−ｐｃ￥ｂｏｘ」の場合、メモリ３２４の画像を、Ｉ／Ｆ３２０、ネットワーク処理部７を通じて、他のＰＣ１８のハードディスク１９に格納する（図１４のデータ転送フロー８２５）。
【０１５９】
ステップＳ３１１では、戻るキー６１１または戻るキー６４１が押されたかを判定し、押されていない場合、ステップＳ３０２へ戻る。押された場合、処理を終了する。
【０１６０】
以下、図１６に示すメモリマップを参照して本発明に係る画像処理装置で読み出し可能なデータ処理プログラムの構成について説明する。
【０１６１】
図１６は、本発明に係る画像処理装置で読み出し可能な各種データ処理プログラムを格納する記憶媒体のメモリマップを説明する図である。
【０１６２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６４】
本実施形態における図８，図１２，図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６６】
この場合、記憶媒体から読み出されたプログラムコード自体が本発明の新規な機能を実現することになり、そのプログラムコードを記憶した記憶媒体は本発明を構成することになる。
【０１６７】
プログラムコードを供給するための記憶媒体としては、例えば、フレキシブルディスク，ハードディスク，光ディスク，光磁気ディスク，磁気テープ，不揮発性のメモリカード，ＲＯＭ，ＥＥＰＲＯＭ等を用いることができる。
【０１６８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７０】
本発明は上記実施形態に限定されるものではなく、本発明の趣旨に基づき種々の変形（各実施形態の有機的な組み合わせを含む）が可能であり、それらを本発明の範囲から排除するものではない。
【０１７１】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２３について説明する。
【０１７２】
〔実施態様１〕
情報処理装置（図１に示すコンピュータ１１〜１２等）とネットワークで接続する画像処理装置（図１に示す画像処理装置１００）と、情報処理装置の記憶手段と、画像処理装置の操作部（図１に示す操作部５００）と、画像形成装置の操作部により、画像処理装置の画像データをネットワーク手段（図１に示すネットワークＮＥＴ）で前記情報処理装置へ送信し、前記情報処理装置の記憶手段へ記憶する送信記憶手段（図１に示すネットワーク処理部７）と、画像処理装置の操作部により、前記情報処理装置の記憶手段に記憶されている画像データを、ネットワーク手段で前記画像処理装置に受信する受信手段（図１に示すネットワーク処理部７）とを有することを特徴とする画像形成システム。
【０１７３】
〔実施態様２〕
前記画像処理装置の画像データは、原稿からスキャンして生成されたスキャン画像データである実施態様１の画像形成システム。
【０１７４】
〔実施態様３〕
前記情報処理装置の記憶手段に記憶されている画像データは、前記情報処理装置で生成された画像データである実施態様１の画像形成システム。
【０１７５】
〔実施態様４〕
前記受信手段により受信した画像データを、前記画像処理装置で印刷する実施態様１の画像形成システム。
【０１７６】
〔実施態様５〕
前記受信手段により受信した画像データを、前記画像処理装置からＦＡＸ送信する実施態様１の画像形成システム。
【０１７７】
〔実施態様６〕
前記受信手段により受信した画像データを、他の情報処理装置へ送信する実施態様１の画像形成システム。
【０１７８】
〔実施態様７〕
前記受信手段により受信した画像データを、他の情報処理装置へ送信し、他の情報処理装置の記憶手段へ記憶する実施態様１の画像形成システム。
【０１７９】
〔実施態様８〕
第１の情報処理装置（図１に示すコンピュータ１１）、第２の情報処理装置（図１に示すコンピュータ１２）とネットワークで接続する画像処理装置と、第１の情報処理装置内にある、第１の記憶手段（図１に示すハードディスク３０）と、第２の情報処理装置内にある、第２の記憶手段（図１に示すハードディスク３６）と、画像処理装置の操作部と、画像処理装置の操作部により、第１の記憶手段に記憶されている第１の画像データと、第２の記憶手段に記憶されている第２の画像データを指定し、それら画像データを、ネットワーク手段で前記画像処理装置に受信するデータ受信手段（図１に示すネットワーク処理部７）と、前記第２の受信手段により受信した第１、第２の画像データを画像処理装置で結合する結合手段（図１に示すコア部１０）とを有することを特徴とする画像形成システム。
【０１８０】
〔実施態様９〕
前記第１の画像データ、または第２の画像データは、原稿からスキャンして生成されたスキャン画像データである実施態様８の画像形成システム。
【０１８１】
〔実施態様１０〕
前記第１の画像データ、または第２の画像データは、前記情報処理装置で生成された画像データである実施態様８の画像形成システム。
【０１８２】
〔実施態様１１〕
前記受信手段により受信し、結合した画像データを、前記画像処理装置で印刷する実施態様８の画像形成システム。
【０１８３】
〔実施態様１２〕
前記受信手段により受信し、結合した画像データを、前記画像処理装置からＦＡＸ送信する実施態様８の画像形成システム。
【０１８４】
〔実施態様１３〕
前記受信手段により受信し、結合した画像データを、他の情報処理装置へ送信する実施態様８の画像形成システム。
【０１８５】
〔実施態様１４〕
前記受信手段により受信し、結合した画像データを、他の情報処理装置へ送信し、他の情報処理装置の記憶手段へ記憶する実施態様８の画像形成システム。
【０１８６】
〔実施態様１５〕
情報処理装置とネットワークで接続する画像処理装置と、情報処理装置の記憶手段と、情報処理装置の記憶手段に記憶されるパスワードと、情報処理装置の記憶手段に記憶される画像データのアクセス権限と、画像処理装置の操作部と、
前記アクセス権限の内容に応じて、画像処理装置の操作部により入力されたパスワードと、前記情報処理装置の記憶手段に記憶されるパスワードを照合し、一致したら、画像処理装置の操作部により、画像処理装置の画像データをネットワークで前記情報処理装置へ送信し、前記情報処理装置の記憶手段へ記憶する認証送信記憶手段（図１に示すネットワーク処理部７，コア部１０）と、前記アクセス権限の内容に応じて、画像処理装置の操作部により入力されたパスワードと、前記情報処理装置の記憶手段に記憶されるパスワードを照合し、一致したら、画像処理装置の操作部により、前記情報処理装置の記憶手段に記憶されている画像データをネットワーク手段で前記画像処理装置に受信する認証受信手段（図１に示すネットワーク処理部７，コア部１０）とを有することを特徴とする画像形成システム。
【０１８７】
〔実施態様１６〕
前記画像処理装置の画像データは、原稿からスキャンして生成されたスキャン画像データである実施態様１５の画像形成システム。
【０１８８】
〔実施態様１７〕
前記情報処理装置の記憶手段に記憶されている画像データは、前記情報処理装置で生成された画像データである実施態様１５の画像形成システム。
【０１８９】
〔実施態様１８〕
前記受信手段により受信した画像データを前記画像処理装置で印刷する実施態様１５の画像形成システム。
【０１９０】
〔実施態様１９〕
前記受信手段により受信した画像データを、前記画像処理装置からＦＡＸ送信する実施態様１５の画像形成システム。
【０１９１】
〔実施態様２０〕
前記受信手段により受信した画像データを、他の情報処理装置へ送信する実施態様１５の画像形成システム。
【０１９２】
〔実施態様２１〕
前記受信手段により受信し、結合した画像データを、他の情報処理装置へ送信し、他の情報処理装置の記憶手段へ記憶する実施態様１５の画像形成システム。
【０１９３】
〔実施態様２２〕
前記アクセス権限は、情報処理装置の記憶装置内の画像データの読み込み権限、または、情報処理装置内の記憶装置内へ画像データを書き込む権限であり、それぞれ、パスワードが必要かを示す、アクセス権限である実施態様１５の画像形成システム。
【０１９４】
〔実施態様２３〕
実施態様１、８、１５を制御手順に置き換え可能なプログラム又は該プログラムを記憶してなる記憶媒体。
【０１９５】
上記各実施態様による効果は以下の通りである。
【０１９６】
実施態様１によれば、画像処理装置の操作部を使用し、画像処理装置の画像データを、ネットワーク経由で、例えば自分のＰＣのハードディスクに蓄積できるので、従来のように、複数の人が共有することによって画像処理装置のハードディスクがすぐにいっぱいになるといったことが避けられる。また、本発明のような構成の場合、画像処理装置に、ボックスの用途として使用するハードディスクが不要となり、コストダウンにつながるといった効果も生まれる。
【０１９７】
さらに、画像処理装置の操作部からは、蓄積する画像データの実体がＰＣ上にあっても、あたかも画像処理装置内のボックス内にあるかのように操作できるので、今までの使い慣れている操作性がそのまま踏襲できるという効果もある。さらに、蓄積する画像データの実体が、例えば使用者自身のＰＣ上のハードディスクにあることで、データ消去、データバックアップなどの管理をＰＣ上でも行うことができるという効果がある。
【０１９８】
また、実施態様２によれば、原稿からスキャンして生成されたスキャン画像データをＰＣ上のハードディスクに蓄積できるので、実施態様１の効果に加え、スキャン画像をボックスに蓄積できるという機能が実現できるという効果がある。
【０１９９】
また、実施態様３によれば、ＰＣのハードディスクに記憶されている画像データは、ＰＣ上で生成される画像データであるので、請求項１の効果に加え、ＰＣ上で生成される画像データをボックスに蓄積できるという機能が実現できるという効果がある。
【０２００】
また、実施態様４によれば、実施態様１の効果に加え、ＰＣ上のハードディスク内に蓄積されている、画像処理装置でスキャンした画像、あるいは、ＰＣ上で生成される画像データを引き出し、画像処理装置で印刷できるという機能が実現できるという効果がある。
【０２０１】
また、実施態様５によれば、実施態様１の効果に加え、ＰＣ上のハードディスク内に蓄積されている、画像処理装置でスキャンした画像、あるいは、ＰＣ上で生成される画像データを引き出し、前記画像処理装置からＦＡＸ送信できるという機能が実現できるという効果がある。
【０２０２】
また、実施態様６によれば、実施態様１の効果に加え、ＰＣ上のハードディスク内に蓄積されている、画像処理装置でスキャンした画像、あるいは、ＰＣ上で生成される画像データを引き出し、前記画像処理装置から、ｆｔｐ、Ｅ−ｍａｉｌ、などを使って、他のＰＣやサーバへ送信する機能が実現できるという効果がある。
【０２０３】
また、実施態様７によれば、実施態様１の効果に加え、ＰＣ上のハードディスク内に蓄積されている、画像処理装置でスキャンした画像、あるいは、ＰＣ上で生成される画像データを引き出し、他のボックスに相当する、他のＰＣ上のハードディスクに送信し、蓄積することができる機能が実現できるという効果がある。つまり、あるボックス内のデータを他のボックスへコピーあるいは移動ができるという効果がある。
【０２０４】
また、実施態様８によれば、画像処理装置の操作部から操作できる複数のボックスの、それぞれの中身の画像データは、それぞれに対応した各ＰＣのハードディスクに蓄積されることになる。
【０２０５】
したがって、従来のように、複数の人がそれぞれ自分のパーソナルボックスを持つことで、画像処理装置のハードディスクがすぐにいっぱいになるといったことが避けられる。
【０２０６】
また、本実施形態のような構成の場合、画像処理装置に、ボックスの用途として使用するハードディスクが不要となり、コストダウンにつながるといった効果も生まれる。さらに、画像処理装置の操作部からは、蓄積する画像データの実体がＰＣ上にあっても、あたかも画像処理装置内のパーソナルボックス内にあるかのように操作できるので、今までの使い慣れている操作性がそのまま踏襲できるという効果もある。
【０２０７】
さらに、パーソナルボックスへ蓄積する画像データの実体が、各パーソナルボックス使用者自身のＰＣ上のハードディスクにあることになるため、各個人のデータ消去、データバックアップなどの管理をＰＣ上で各個人が行うことができ、従来のように、画像処理装置のハードディスクがいっぱいになったとき、消去するなどの管理者を特別に設けるといった煩わしさが避けられるという効果がある。また、画像処理装置の操作部から、複数のパーソナルボックス内にある任意の画像データを選択して引き出し、結合することで、別々のＰＣ上で蓄積、作成された文書をまとめて画像処理装置で処理することが出来るという利便性が向上するという効果がある。
【０２０８】
また、実施態様９，１０によれば、実施態様８の効果に加え、それぞれのパーソナルボックスに格納されるデータは、スキャン画像でも、プリント画像でも良いので、画像処理装置上で、スキャン画像とプリント画像の任意の組み合わせで文書を結合し、まとめて画像処理装置で処理することが出来るという効果がある。
【０２０９】
また、実施態様１１によれば、実施態様８の効果に加え、結合した画像データを、画像処理装置でまとめて印刷することができる。例えば、各パーソナルボックス内にあるそれぞれの文書をまとめてステイプルしたり、まとめた状態で複数部印刷することができ、従来のように、それぞれのパーソナルボックスの画像データをそれぞれ印刷したあと、手作業で結合したり、ホチキスとめするなどといった煩わしさが避けられるという効果がある。
【０２１０】
また、実施態様１２によれば、実施態様８の効果に加え、各パーソナルボックス内にあるそれぞれの文書を結合したまま、画像処理装置からいっぺんにＦＡＸ送信することができ、従来のように、それぞれのパーソナルボックスの画像データをそれぞれ引き出し、宛先をそれぞれ指定して送信するといった煩わしさが避けられるという効果がある。
【０２１１】
また、実施態様１３によれば、実施態様８の効果に加え、各パーソナルボックス内にあるそれぞれの文書を結合したまま、画像処理装置からいっぺんに他のＰＣあるいはサーバへ、ｆｔｐ送信、Ｅ−ｍａｉｌ送信などができ、従来のように、それぞれのパーソナルボックスの画像データをそれぞれ引き出し、宛先をそれぞれ指定して送信するといった煩わしさが避けられるという効果がある。
【０２１２】
また、実施態様１４によれば、各パーソナルボックス内にあるそれぞれの文書を結合したまま、画像処理装置からいっぺんに他のＰＣに対応するパーソナルボックスへ送信することができるので、例えば、各文書を手分けして作成して、それぞれのパーソナルボックスへ格納しておき、提出用として、それぞれの文書を結合した状態で、他のパーソナルボックスへ蓄積するなどの利便性が生まれるという効果がある。
【０２１３】
また、実施態様１５によれば、画像処理装置の操作部から操作できる複数のボックスの、それぞれの中身の画像データは、それぞれに対応した各ＰＣのハードディスクに蓄積されることになる。
【０２１４】
したがって、従来のように、複数の人がそれぞれ自分のパーソナルボックスを持つことで、画像処理装置のハードディスクがすぐにいっぱいになるといったことが避けられる。また、本発明のような構成の場合、画像処理装置に、ボックスの用途として使用するハードディスクが不要となり、コストダウンにつながるといった効果も生まれる。
【０２１５】
さらに、画像処理装置の操作部からは、蓄積する画像データの実体がＰＣ上にあっても、あたかも画像処理装置内のパーソナルボックス内にあるかのように操作できるので、今までの使い慣れている操作性がそのまま踏襲できるという効果もある。
【０２１６】
さらに、パーソナルボックスへ蓄積する画像データの実体が、各パーソナルボックス使用者自身のＰＣ上のハードディスクにあることになるため、各個人のデータ消去、データバックアップなどの管理をＰＣ上で各個人が行うことができ、従来のように、画像処理装置のハードディスクがいっぱいになったとき、消去するなどの管理者を特別に設けるといった煩わしさが避けられるという効果がある。
【０２１７】
また、各ＰＣのハードディスクに対応するパーソナルボックスの読み出し、書き込みに対してパスワードによるアクセス制限を設けることで、他人によって自分のパーソナルボックス内の画像データを覗く、あるいは移動、消去するなどの弊害が避けられるという効果がある。
【０２１８】
また、実施態様１６によれば、実施態様１５の効果に加え、原稿からスキャンして生成されたスキャン画像データをパーソナルボックスで扱えるという効果がある。
【０２１９】
また、実施態様１７によれば、実施態様１５の効果に加え、ＰＣ上で生成された画像データを、パーソナルボックスで扱うことができるという効果がある。
【０２２０】
また、実施態様１８によれば、実施態様１５の効果に加え、パーソナルボックス内の画像データを、画像処理装置で印刷することができるという効果がある。
【０２２１】
また、実施態様１９によれば、実施態様１５の効果に加え、パーソナルボックス内の画像データを、画像処理装置からＦＡＸ送信することができるという効果がある。
【０２２２】
また、実施態様２０によれば、実施態様１５の効果に加え、パーソナルボックス内の画像データを、画像処理装置からｆｔｐ送信、Ｅ−ｍａｉｌ送信など行うことができるという効果がある。
【０２２３】
また、実施態様２１によれば、実施態様１５の効果に加え、パーソナルボックス内の画像データを、他のＰＣに対応するパーソナルボックスへ送信することができるので、利便性が高まるという効果がある。
【０２２４】
また、実施態様２２によれば、実施態様１５の効果に加え、パーソナルボックスの画像データの読み出し時にパスワードが必要かどうか、パーソナルボックスの画像データの書き出し、消去、移動時にパスワードが必要かどうかを設定することが出来るので、パーソナルボックスの用途に応じてきめ細かい管理ができるという効果がある。
【０２２５】
【発明の効果】
以上説明したように、本発明によれば、情報処理装置が備える記憶装置を自機の記憶装置として処理すべき画像データを登録し、該該登録された画像データをネットワークを介して前記記憶装置から読み出して受信するので、情報処理装置の記憶装置をリモート記憶装置として代替使用可能となり、記憶装置を利用した各種の画像処理を実現できる安価な画像処理システムを自在に構築できる等の効果を奏する。
【図面の簡単な説明】
【図１】本発明の第１実施形態を示す画像処理装置を適用可能な画像処理システムの構成を説明するブロック図である。
【図２】図１に示した画像処理装置の構成例を示す概略断面図である。
【図３】図１に示した画像処理装置のコア部の構成を示すブロック図である。
【図４】図１に示した画像処理装置の操作部の表示部に表示される基本画面を示す説明図である。
【図５】図１に示した画像処理装置の操作部に表示されるボックス基本画面の一例を示す図である。
【図６】図１に示した画像処理装置の操作部に表示されるボックス処理画面の一例を示す図である。
【図７】本発明に係る画像処理装置における第１のボックス機能処理状態を説明する模式図である。
【図８】本発明に係る画像処理装置における第１のデータ処理手順の一例を示すフローチャートである。
【図９】本発明の第２実施形態を示す画像処理装置における操作画面例を示す図である。
【図１０】本発明の第２実施形態を示す画像処理装置における操作画面例を示す図である。
【図１１】本発明に係る画像処理装置における第２のボックス機能処理状態を説明する模式図である。
【図１２】本発明に係る画像処理装置における第２のデータ処理手順の一例を示すフローチャートである。
【図１３】本発明の第３実施形態を示す画像処理装置におけるユーザ識別情報入力画面の一例を示す図である。
【図１４】本発明に係る画像処理装置における第２のボックス機能処理状態を説明する模式図である。
【図１５】本発明に係る画像処理装置における第３のデータ処理手順の一例を示すフローチャートである。
【図１６】本発明に係る画像処理装置で読み出し可能な各種データ処理プログラムを格納する記憶媒体のメモリマップを説明する図である。
【符号の説明】
１  リーダ部
２  プリンタ部
４  モデム通信部
７  ネットワーク処理部
８  ＰＤＬ展開部
１０  コア部
１１，１２  コンピュータ
１４  ファックス装置
１００  画像処理装置
５００  操作部
【図１】
2004153680.tif 000003
【図２】
2004153680.tif 000004
【図３】
2004153680.tif 000005
【図４】
2004153680.tif 000006
【図５】
2004153680.tif 000007
【図６】
2004153680.tif 000008
【図７】
2004153680.tif 000009
【図８】
2004153680.tif 000010
【図９】
2004153680.tif 000011
【図１０】
2004153680.tif 000012
【図１１】
2004153680.tif 000013
【図１２】
2004153680.tif 000014
【図１３】
2004153680.tif 000015
【図１４】
2004153680.tif 000016
【図１５】
2004153680.tif 000017
【図１６】
2004153680.tif 000018